(57)【要約】      （修正有）【課題】日にちとイベントの表示ができ、表示の更新とイベントの変更を容易にできる万年カレンダーを提供する。【解決手段】１日を日付駒２０とイベント駒２１で構成し、７日分を１週間として１列で表示し、４列で４週間分の駒が本体１１に収納できるイベント表示万年カレンダーであって、本体の周囲に月表示駒２２及び、現在使わない日付駒及び、曜日駒２３及び、予備駒２５を必要とする数だけ入る駒置き場３０を設けた。【選択図】図１
0003233691.tif 000002
【実用新案登録請求の範囲】
【請求項１】
１日を日付駒とイベント駒で構成し、７日分を１週間として１列で表示し、４列で４週間分の駒が本体に収納できる事を特徴とするイベント表示万年カレンダー。
【請求項２】
請求項１に記載のイベント表示万年カレンダーにおいて、本体の周囲に月表示駒及び、現在使わない日付駒及び、曜日駒及び、予備駒を必要とする数だけ入る駒置き場を設けた事を特徴とするイベント表示万年カレンダー。
【考案の詳細な説明】
【技術分野】
【０００１】
本考案は、イベントや予定を表示できる機能を持った万年カレンダーである。より詳しくは
（イ） １日を日付駒とイベント駒の組み合わせで構成し、
（ロ） 本体に４週間分の日付駒とイベント駒でカレンダーを表示し、
（ハ） イベントの変更を駒の変更で容易にできる、
イベント表示万年カレンダーである。
【背景技術】
【０００２】
万年カレンダーは数々の方式が考案されているが、同時に行事やイベントを表示できる物は少ない。
【０００３】
ひと月の日数は２８日から３１日と異なり、うるう年もあるなど年によっても日にちの数が違うので、日にちと曜日を合わせるのに複雑な手順であったり、本体から余った日にちの分がはみ出す物もある。
【０００４】
１週間の旅行などで月をまたぐイベントの時は、月替わりの前後１週間程度、日にちが見えた方がよい時もある。出張の清算などで、前週の日にちと曜日を把握したい時もある。紙のカレンダーは２か月以上を１枚に表示してある物はあるが、従来の万年カレンダーでは月の前後１週間またぐ表示が難しい。
【０００５】
万年カレンダーにイベント表示の機能を設けるのは以前から提案されている。
【０００６】
たとえば、特許文献１では、日にちの下に余白を設け、書き入れる構造が開示されている。
【先行技術文献】
【特許文献】
【０００７】
【特許文献１】公開昭５９−０１２１７０
【考案の概要】
【考案が解決しようとする課題】
【０００８】
しかしながら、特許文献１の万年カレンダーは日にちを全て差し替える構造で月の更新は大変な手間である。別構造で日にちをずらす案も提案されている。しかしずらした分はみ出るが、その構造は記載されていない。
【０００９】
本考案者は、万年カレンダーにイベントを表示、月を１週間またぐ日にちの表示、本体からはみ出さない機能や構造にするのに下記を鋭意検討した。
（１）イベントを表示また、簡単に変更できる事。
（２）当日より前後１週間の日にちが好ましくは表示可能な事。
（３）２８日の月でも３１日の月でも本体からはみ出さない事。
（４）更新は全ての日にちの入れ替えではなく、一部の入れ替えで可能な事。
（５）可能ならば１月〜１２月の月表示もできる事。
（６）基本的に筆記用具など他の物品を使わない事。
（７）歯車や強度を必要とする高価な部材など使わず、安価に製造でき、簡単な操作でできる事。
その結果、カレンダーを４週間表示とし、更新は１週間単位でする事として、以上の問題点を解決する構造とした。
【課題を解決するための手段】
【００１０】
本考案に係るイベント表示万年カレンダーは具体的には、以下のとおりである。
［１］１日を日付駒とイベント駒で構成し、７日分を１週間として１列で表示し、４列で４週間分の駒が本体に収納できる事を特徴とするイベント表示万年カレンダー。
［２］前記［１］に記載のイベント表示万年カレンダーにおいて、本体の周囲に月表示駒及び、現在使わない日付駒及び、曜日駒及び、予備駒を必要とする数だけ入る駒置き場を設けた事を特徴とするイベント表示万年カレンダー。
【考案の効果】
【００１１】
本考案にかかるイベント表示万年カレンダーによれば、日にち駒とイベント駒で１日を表示、全体で４週間を表示する事により、
（イ）イベント、行事を簡単に設置でき、
（ロ）イベントの変更が容易にでき、
（ハ）現在の日付より月をまたいだ前後１週間の日にち及び、イベントが表示でき、
（ニ）日にちの更新は全体ではなく週単位ででき、
（ホ）変更によっても本体からはみ出さない、優れた効果が奏される。
【図面の簡単な説明】
【００１２】
【図１】本考案に係るイベント表示万年カレンダーの一態様を示した図である。
【図２】本考案に係るイベント表示万年カレンダーに使う駒の形を３形態例示した図である。
【考案を実施するための形態】
【００１３】
本考案を説明する為に便宜的に以下に語句を定義する。
日付駒：１から３１までの日にちが表示してある立方体または、直方体の駒。本体にイベント駒に隣接して設置する。
イベント駒：行事が表示してある立方体または、直方体の駒。本体に日付駒に隣接して設置する。
月表示駒：１から１２までの月と必要に応じ、「〜」などの記号が表示してある立方体または、直方体の駒。
曜日駒：月火水木金土日の曜日が表示してある立方体または、直方体の駒。
予備駒：駒の紛失時に使う６面何も表示されてない立方体または、直方体の駒。
駒：日付駒、イベント駒、月表示駒、曜日駒、予備駒を合わせた総称。
本体：長手方向を横、短手方向を縦として、内側に日付駒とイベント駒をセットで１日分、７日分を長手方向に設置、これを縦に４列設置する箱。
上面：本体の長手方向の側面でこの内側左から日付の開始になる面。
下面：本体の長手方向の側面で内側右がこの万年カレンダーの最終となる面。
横側面：本体の短手方向の側面で右左２面ある。
列：横の駒の並びを列とする。
【００１４】
以下、本考案に係るイベント表示万年カレンダーについて、図１の１０を例示し適宜図面を参照しつつ説明する。
【００１５】
本体１１は長手方向に一週間分の駒が入る。日付駒２０とイベント駒２１を隣接して配置して１日とする。これを７日分設置して１週間の表示とする。図１の本体１１では日付駒２０とイベント駒２１を各１個で１日を例示しているが、イベント駒２１は複数個でもよい。この場合、全ての日付駒２０に対して同数の複数個のイベント駒２１を配置し、本体１１はその長さに応じた物になる。
短手方向には４個駒が入るので１週間を４列配置し４週間を表示する。
図１では２０２１年６月２７日から７月２４日までの４週間の日付駒とイベント駒を配置してある。
【００１６】
日付駒２０は３１個あり、１から３１が記入してある。形状が立方体形状の駒３１の時は６面に数字や文字が記入できるので文字色を黒は平日、青は土曜日、赤は日曜祝祭日、とすれば視認性が良くなる。残りの３面には書体を変えた数字を入れるとデザイン性の高い物になる。
形状が板状直方体の駒３２の時は表示できる文字、数字の種類は少なくなるが、体積が少なくなるのでコスト面で有利になる。
【００１７】
イベント駒２１は図１では２８個あり、イベント名が表示してある。遠足、運動会といった文字列でもよいし、天文現象なら黄色に塗りつぶした円を満月、というように絵でも表示できる。１面を何も表示しない事でイベント無しを表示できる。またハート、ダイヤなどの記号や「〜」などの文字列で使う記号も表示してもよい。大安、五黄土星といった暦の用語を表示してもよい。
図１では１８日に遠足、１０日を新月、２４日を満月、２日と１７日を半月を絵で、５日にダイヤの記号を表したイベント駒を配置している。
【００１８】
形状が立法体形状の駒３１の時は１〜５面に予め遠足などの文字又は、満月のデザインなど入れ、残りの５〜１面は何も表示しない。新しい名称のイベントが出来た時は筆記用具で書き入れる事ができる。
【００１９】
側面１４には切り欠き１５がある。カレンダーの最初の１週を横にスライドさせる事により、駒を１個ずつ取り出す事無く、素早く過ぎた日付を取り出せる。図１では右側にあるが、左右のどちらでもよいし、両方でもよい。
【００２０】
切り欠き１５に普段駒が出ないように蓋１６を設けても良い。本体とは磁石で取り付け、スライド構造で可動して閉鎖、回転構造で可動して閉鎖など特に手段は問わない。
【００２１】
カレンダーの最初の１週を取り出した後に上面１２を固定しつつ、下面１３を持ち上げると本体１１が傾き、駒全てが上面１２方向にずれるので簡単に素早く駒の移動ができる。
【００２２】
曜日表示２４は上面１２または、下面１３の厚みの部分に表示する。印刷、シールなど考えられるが方法を限定する物ではない。上面１２及び、下面１３の両方に表示してもよい。運用の都合やコストの面で表示しなくもよい。予め表示してない場合は自分で書き入れる事もできる。
【００２３】
図１に例示した駒置き場３０を適宜図面を参照しつつ説明する。
【００２４】
駒置き場３０は何月を表示する月表示駒２２及び、現在使ってない日付表示駒２０、予備の駒があればこれらを収納する。別に容器を準備しなくも使わない駒を収納できる。図１では駒が２列入る形状をしており、上の列に左から曜日駒２２を５個、予備駒２５を６個、現在使っていない日付駒２０を３個、下の列に曜日駒２３を７個収納配置している。
【００２５】
図１では上面１２または下面１３に接続できるように、本体１１の長手方向と同じ長さに例示してあるが、側面１４の外側など場所を限定する物ではない。また複数個所設ける事で紛失時の予備の駒をより多く収納できる。
【００２６】
月表示駒２２には１月から１２月までの月が表示してある。この時、数字だけで別に「月」の文字の入った駒を用意してもよいし、「１２月」と駒の１面に表示してもよい。デザインや見やすさで「〜」などの記号を表示してもよく、漢数字を使うなど文字や記号を限定する物ではない。
形状が立方体形状の駒３１の時は１つの駒に６つの月を表示できる
【００２７】
曜日駒２３には曜日が表示してある。日付駒２０とイベント駒２１を本体に設置して合わせた時と同じ長さで立方体形状の駒３３で例示した形になる。
【００２８】
予備駒２５は駒の紛失時に予備として準備しておくが、コストの都合などで無くてもよい。
【００２９】
駒置き場３０が図１に例示するように、上面１２または下面１３に接続する形状で駒を２列配置できる時は１つの列に月表示駒２２、もう１つの列に曜日駒２３を設置できる。この場合、曜日の最初を任意の曜日に配置できるので、職業や職場のシフトによって例えば水曜を週の初めに置くなど柔軟な表示ができる。
【００３０】
駒置き場３０の形状が駒を１列のみ収納する形状の時は２つ用意して、例えば片方を月表示用、片方を曜日表示用にして本体１１に接続できる。
【００３１】
駒置き場３０は製造時に本体１１と設計、製造で一体の物でも良いし、別部品で後付けでもよい。後付けの時は接着剤、磁石、ネジ止めなどで接続が考えられるが方法を限定する物ではない。
【００３２】
イベント駒２１の表示は遠足などの具体的なイベント名ではなく、例えばスペード、ダイヤ、ハートなどの記号を記してもよい。この場合自分のみ又は、家族間で取り決めをしておけば家族のみ判ればよい予定、例えば結婚記念日などの表示とする事ができる。
【００３３】
日付駒２０とイベント駒２１と月表示駒２２は全て同じ形状ではなく、それぞれ立方体形状の駒３１、直方体の駒３３、板状直方体形状の駒３２のように１つの本体１１に種類別に設置してもよい。この場合デザイン性の高い商品が設計できる。また全ての駒を混ぜてしまって混在しても分けるのに作業性、視認性が良くなる。
【００３４】
例えば日付駒２０を立方体、イベント駒２１を日付駒２０より高い立方体にすると、イベントが変更になった時に取り出しやすくなる。
【００３５】
４週間のカレンダーとなるので、オギノ式と言われる女性の体調管理に使いやすく、生理予定日から排卵日を予想し、妊娠のしやすい日を把握できるので、少子化防止のカレンダーにもなる。
【００３６】
週単位の更新なので子宝を授かったご夫婦には妊娠何週目、といった体調管理に使える。手帳やアプリでは本人のみの確認だが、先週にした事、来週の予定など家族で把握できるので妊婦をいたわる道具としても使える。
【００３７】
手で駒を設置、変更するので、初めての遠足を毎日楽しみにしている子供さんが駒の移動などで積み木やブロック玩具のように楽しむ事もできる物でもある。４週間の表示なので月齢とほぼ同じ周期になり、日食や流星群など天文現象を主に表示すると子供が科学に興味を持つきっかけにもなる。
【００３８】
駒の表示は印刷、シールなど考えられるが方法を限定する物ではない。例えば当初は「遠足」「運動会」といった学校行事が主の表示で提供し、後に「流星群」「日食」といったシールのみ提供すると安価に行事、イベントの表示種類を増やせる。
【符号の説明】
【００３９】
１０：  本考案の万年カレンダー
１１：  本体  
１２：  上面
１３：  下面
１４：  側面
１５：  切り欠き部
１６：  蓋
２０：  日付駒
２１：  イベント駒
２２：  月表示駒
２３：  曜日駒
２４：  曜日表示
２５：  予備駒
３０：  駒置き場
３１：  立方体形状の駒
３２：  板状直方体形状の駒
３３：  直方体形状の駒
【図１】
0003233691.tif 000003
【図２】
0003233691.tif 000004